(57)【要約】【課題】天井から浴室乾燥機を外さないまま、ヒータユニット部分裏側の掃除がしやすい浴室乾燥機構造を提供する。【解決手段】  浴室の空気を吸引して加熱してから浴室方向に空気を噴出する循環モードを備えた浴室乾燥機において、浴室の天井に固定される本体と、前記本体内に格納される送風機と、前記本体内の前記送風機よりも上流側であって前記浴室側となる下部に設けられ、浴室側に開口した吸引口と、前記本体内であって浴室側となる下部に設けられ、前記送付機から吹き出される空気を浴室内に噴出する循環吹出口と、前記循環吹出口内に配置されるように前記本体に対して固定され、発熱部となるＰＴＣ特性を有する抵抗体とヒータフィンとを有するヒータユニットと、前記送風機及び前記ヒータユニットの動作を制御する制御部と、を備え、前記ヒータユニットは、前記本体に対する固定が解除されると前記ヒータユニットを浴室側となる下方に回動可能であることを特徴とする。【選択図】  図３
2015132469.tif 000002
【特許請求の範囲】
【請求項１】
浴室の空気を吸引して加熱してから浴室方向に空気を噴出する循環モードを備えた浴室乾燥機において、
浴室の天井に固定される本体と、
前記本体内に格納される送風機と、
前記本体内の前記送風機よりも上流側であって前記浴室側となる下部に設けられ、浴室側に開口した吸引口と、
前記本体内であって浴室側となる下部に設けられ、前記送付機から吹き出される空気を浴室内に噴出する循環吹出口と、
前記循環吹出口内に配置されるように前記本体に対して固定され、発熱部となるＰＴＣ特性を有する抵抗体とヒータフィンとを有するヒータユニットと、
前記送風機及び前記ヒータユニットの動作を制御する制御部と、を備え、
前記ヒータユニットは、前記本体に対する固定が解除されると前記ヒータユニットを浴室側となる下方に回動可能であることを特徴とする浴室乾燥機。
【発明の詳細な説明】
【技術分野】
【０００１】
この発明は、浴室の天井に設置して、浴室内から吸引した空気を加熱して前記浴室内に吹き出すことで、衣類の乾燥や浴室内の暖房を自動的に行えるようにする浴室乾燥機に関するものであり、詳しくは空気を加熱するヒータユニットの取付構造に関する発明である。 
【背景技術】
【０００２】
浴室内から吸引した空気を加熱して前記浴室内に吹き出す浴室乾燥機において、吸引口に設けられたフィルターでは埃を完全に補足することは難しく、循環風路やファンの羽根に堆積してしまう。そして風路に堆積した埃や羽根に堆積した埃の塊がさらに下流に吹き飛ばされると、最終的にハニカム状のヒータ上流部に堆積していくことになる。直接ヒータ上部に堆積してしまった埃とも合わせ、ヒータの風路が塞がれ、風量の不足や、或いは、ヒータフィンの間から埃が塊になって浴室内に落下する、という問題があった。
そこで、浴室内から吸引した空気を加熱して前記浴室内に吹き出す循環運転の開始初期に、本来は浴室側に連通するダンパーを排気側と連通させて、埃を浴室吹出口から吹出さずに排気側から排出することで、ヒータが設けられた循環吹出口に流れる埃を少なくするようにするものが知られている。（例えば、特許文献１参照。）。
【先行技術文献】
【特許文献】
【０００３】
【特許文献１】特開２０１０−２５４５０号（第１図）
【発明の概要】
【発明が解決しようとする課題】
【０００４】
特許文献１に記載された循環運転の開始初期制御を実行したとしても、ヒータに至る埃を無くすことはできず、運転時間が長くなるとヒータ上面には埃が堆積することがあり、結局、ヒータの風路が塞がれ、風量の不足や、或いは、ヒータフィンの間から埃が塊になって浴室内に落下するという問題は発生する。
そして、このような風量不足や埃落下を防止するため、ヒータ上面に付着した埃を取り除く必要があるが、ヒータは電線で本体と連結されており、天井に浴室乾燥機本体を取り付けた状態での作業は、電線への引っ張り力を回避しつつ、ヒータ裏面を掃除するという行為となるため、天井裏に取り付けられた浴室乾燥機本体を取外して、そこから、ヒータを取外して掃除するという作業を余儀なくされていた。
本発明は、上記問題を解決するためになされたもので、天井から浴室乾燥機を外さないまま、ヒータユニット部分裏側の掃除がしやすい浴室乾燥機構造を提供することを目的とする。
【課題を解決するための手段】
【０００５】
上記目的を達成するために請求項１記載の浴室乾燥機は、浴室の空気を吸引して加熱してから浴室方向に空気を噴出する循環モードを備えた浴室乾燥機において、浴室の天井に固定される本体と、前記本体内に格納される送風機と、前記本体内の前記送風機よりも上流側であって前記浴室側となる下部に設けられ、浴室側に開口した吸引口と、前記本体内であって浴室側となる下部に設けられ、前記送付機から吹き出される空気を浴室内に噴出する循環吹出口と、前記循環吹出口内に配置されるように前記本体に対して固定され、発熱部となるＰＴＣ特性を有する抵抗体とヒータフィンとを有するヒータユニットと、前記送風機及び前記ヒータユニットの動作を制御する制御部と、を備え、前記ヒータユニットは、前記本体に対する固定が解除されると前記ヒータユニットを浴室側となる下方に回動可能であることを特徴とする。
【０００６】
従って、循環吹出口内に配置されたヒータユニットは、循環吹出口に配置された状態において送風機から吹き出される空気が流入してその空気中の埃が溜まりやすいヒータユニットの上面側を浴室側に露出させることができる。そのため、本体を浴室の天井から取外さなくてもヒータ上面を浴室側から掃除することができ、ヒータユニット内の風路が塞がれることによる風量の不足や、或いは、ヒータフィンの間から埃が塊になって浴室内に落下するといった不具合の発生を防止することを可能とした。
【発明の効果】
【０００７】
本発明によれば、吹出口に取り付けられたヒータユニットを、浴室乾燥機本体を天井裏から取外すことなくヒータ上面を露出することができ、付着している埃を容易に掃除できる、という効果がある。
【図面の簡単な説明】
【０００８】
【図１】本発明の実施形態に係わる浴室乾燥機を示す断面図。
【図２】発明に実施形態に係わる浴室乾燥機を示す平面図。
【図３】第一実施形態に係わるヒーターユニットと本体ケーシングの構成図。
【図４】図３のヒータユニットの移動状態を示す図。
【図５】制御部の動作フローを示す図。
【図６】第二実施形態に係わるヒーターユニットと本体ケーシングの構成図。
【図７】図６のヒータユニットの移動状態を示す図。
【発明を実施するための形態】
【０００９】
図１は、本発明に実施形態に係わる浴室乾燥機を示す断面図である。この図１に示されるように、浴室ＢＲの天井に浴室乾燥機の本体としての本体ケーシング２が固定されている。この本体ケーシング２の内部には送風機としてのファン１５と、このファン１５によって吸引された浴室内の空気を再び浴室内へ戻すか、または、浴室外へ排気するのかを切替える切替ダンパー６０が格納されている。本体ケーシング２の下面を構成する下蓋ユニット２ａには、浴室内に対向した面には、ファン１５によって浴室内の空気を吸引するための吸引口３０と、ファン１５からの空気を浴室内へ吹き出す循環吹出口３１が形成されている。また、本体ケーシング２の側壁には排気口３２が形成されており、その排気口３２に接続された排気ダクト７０を通じて、ファン１５によって吸引された浴室内の空気を浴室外へ排出することが可能である。
【００１０】
循環吹出口３１にはヒータユニット１が嵌め込み固定されている。そして、ヒータユニット１やファン１５や切替ダンパー６０は制御部５０によって制御される。制御部６０によって、切替ダンパー６０が（ａ）の位置にある状態でファン１５を駆動することで、浴室内の空気を排気ダクト７０から排気する排気運転を行うことができ、切替ダンパー６０が（ｂ）の位置にある状態でファン１５を駆動すると共にヒータユニット１へ通電することで、浴室内の空気の一部を排気ダクト７０から排気しながら残りの空気を加熱して循環吹出口３１から浴室内へ吹き出して、浴室内の洗濯物を乾燥する乾燥運転を行うことが可能であり、また、切替ダンパー６０が（ｃ）の位置にある状態でファン１５を駆動すると共にヒータユニット１へ通電することで、浴室内の空気を加熱して循環吹出口３１から浴室内へ吹き出して、浴室内を暖房する暖房運転を行うことが可能である。
【００１１】
なお、浴室乾燥機の浴室側においては、吸引口３０と循環吹出口３１とを覆うようにフロントカバー４０が設けられており、このフロントカバー４０には、吸引口３０と対向するように吸引する空気中の埃を吸着するためのフィルター４１が着脱できるように取り付けられており、循環吹出口３１と対向する位置には、吹き出す温風を所定の方向に向けて吹き出すためのルーバー４２が形成されている。なお、フロントカバー４０は、本体ケーシング２に対してビス止め固定されている。
【００１２】
図２は発明に実施形態に係わる浴室乾燥機を示す平面図である。この図２示すように、ヒーターユニット１は発熱部となるＰＴＣ特性を有する抵抗体から成るヒーター１９と、それを取り囲むように形成されているヒーターケース２０とで構成されている。ヒーターケース２０は樹脂製である。このヒーターケース２０は、４本の取付ねじ１１〜１４によって、本体ケース２の下蓋２ａに固定されている。
【００１３】
次に、第一実施形態に係わるヒーターユニット１の本体ケーシング２への固定構造について説明する。図３は第一実施形態に係わるヒーターユニットと本体ケーシングの構成図。であり、図４は図３のヒータユニットの移動状態を示す図である。
【００１４】
この図３に示すようにヒーターケース２０は本体ケーシング２に接続するための凸部３を備えており、その凸部３の両横側面には半球状の出っ張り６、７が形成されている。一方、本体ケーシング２の下蓋２ａはヒーターケース２０の凸部３が嵌まり込むように一対の凸部４、凸部５が下方向（浴室内に向かう方向）に形成されている。凸部４、５は直方体で縦に長い構造である。凸部４、５の先端（下端）は本体ケーシング２の下蓋２ａの底面から凸部３の厚み以上浴室側に飛び出して設けられている。
【００１５】
また、凸部４、５は横方向に貫通する長穴８、９を持つ。凸部４、５は先端の内側の角に、ヒーターケース２０の出っ張り６、７を誘い込むための、斜め方向に切断されたテーパー形状を持つ。長穴８、９を含む凸部４、５は対称形状をしている。凸部４、５の距離は凸部３の横幅よりも少し大きめである。
【００１６】
ヒーターユニット１組み付け状態では、凸部３は凸部４、５の間に挟まれる状態で、凸部３の下面と凸部４、５の下面とが一致する場所でねじ１１、１２、１３、１４によって本体ケーシング２に固定されている（図２参照）。このとき、半球状の出っ張り６、７は長穴８、９に嵌っている。取付ねじ１１、１２、１３、１４を外すことにより、ヒーターユニット１を本体ケーシング２の浴室方向に動かすことができる。
【００１７】
図４において（ａ）はヒーターユニット１組み付け時、（ｂ）はヒーターユニット１下降時、（ｃ）はヒーターユニット１清掃時を示している。ヒーターユニット１掃除時は、まず、取付ねじ１１、１２、１３、１４を外し、図４（ｂ）に示すようにヒーターユニット１を長孔８，９の一番下まで移動させる。それから、出っ張り６、７を軸としてヒーターユニット１を９０度回転させ、（ｃ）の状態にする。この状態で、浴室側からヒーター１９に付着した埃を取り除くことができる。
【００１８】
更に本実施形態において、図４に示す様に、本体ケーシング２にヒーターケース２０の上面と接触する部分に、浴室乾燥機駆動のための電気回路に直列に接続したタクトスイッチ１０を設置すれば、ヒーターユニット１組み付け時（図４（ａ）の状態）には常にこれをヒーターユニット１が押している状態になり、またヒーター清掃時にヒーターユニット１を降下させている場合（図４（ｂ），（ｃ）の状態）は、タクトスイッチ１０を押していない状態になる。
【００１９】
この制御を図５で説明する。タクトスイッチがＯＮの場合はヒーター１９とファンモーター１５ａに通電する経路が閉じて通電可能となっており、タクトスイッチがＯＦＦの場合はヒーター１９とファンモーター１５ａへの通電経路が開放されて通電が強制的に停止する。このタクトスイッチ１０の設置によって、ヒーターユニット１を外しヒーター１９を清掃しているときに、清掃作業者が誤って感電及びケガをすることのないように安全面に配慮することができる。
【００２０】
更に本実施形態において、タクトスイッチ１０が開から閉になった後での最初の循環吹出口３１からの吹出しを伴う乾燥運転や暖房運転といった循環モード運転時に、ヒーター１９に通電せずに、ファン１５を動かし送風を行い、一定時間この準備運転を行った後、循環モードの運転に移行する制御を設定すれば、ヒーター清掃後にヒーター１９に残った埃を浴室内に落下させないようにすることができる。
【００２１】
次に他の実施形態について図６，７を参照して説明する。図６は第二実施形態に係わるヒーターユニットと本体ケーシングの構成図。であり、図７は図６のヒータユニットの移動状態を示す図である。この例ではヒーターユニット１を下降させ９０°回転させてから、さらにヒーターユニット１を固定する。この回転機構は第一実施形態と異なり、ヒーターケース２０に貫通する縦穴２１が、本体ケーシング２の下蓋２ａに取り付けられている取付金具１６に差し込まれることによって構成されている。
【００２２】
縦穴２１はヒーターケース２０端部に縦方向で直方体状に貫通している。取付金具１６は略コの字型をしており、厚さは穴２１の長辺よりも薄くなっている。コの字の一辺は本体ケーシング２の下蓋２ａから少し飛び出すように設置されている。
【００２３】
図７において（ａ）はヒーターユニット組み付け時、（ｂ）はヒーターユニット下降時、（ｃ）はヒーターユニット清掃時を示している。ヒーターユニット１組み付け時、取付金具１６は縦穴２１に差し込まれていない。ヒーター清掃時にはヒーターユニット１を固定している取付ねじ１１〜１４を外し、ヒーターユニット１を浴室側に下降させる。下降させると、ヒーターケース２０の縦穴２１に取付金具１６の先が差し込まれ、（ｂ）の状態になる。すると、縦穴２１と取付金具１６でヒンジ構造が形成され、ヒーターユニット１が縦穴２１を軸として、取付金具をスライドしながら回転して（ｃ）の状態になり、第一実施形態と同様の効果を得ることができる。
【００２４】
更に本実施形態において、ヒーターケース２０の側面と本体ケーシング２の下蓋２ａの下面に互いに引き合う磁性体１７、１８を設置すれば、ヒーターユニットを９０°回転させた状態で固定することができる。つまり、磁性体１７、１８が引き合う力によって、ヒーターケースは固定される。ヒーター部を浴室側に露出した状態で固定することによって、ヒーター裏面の清掃をさらに容易に行うことができる。
なお、本体ケーシング２の下蓋２ａには、磁性体１７によって動作するリミットスイッチ１０ａが設けられており、前述した第一実施形態と同様に、ヒーターユニット１の清掃時に、ヒーター１９とファンモータ１５ａへの通電を強制的に停止することが可能である。
【符号の説明】
【００２５】
１…ヒーターユニット
２…本体ケーシング
３…ヒーターケース凸部
４、５…本体ケーシング凸部
６、７…出っ張り
８、９…長穴
１０…タクトスイッチ
１１、１２、１３、１４…ヒーターユニット取付ねじ
１５…ファン
１６…取付金具
１７、１８…磁性体
１９…ヒーター
２０…ヒーターケース
２１…縦穴
【図１】
2015132469.tif 000003
【図２】
2015132469.tif 000004
【図３】
2015132469.tif 000005
【図４】
2015132469.tif 000006
【図５】
2015132469.tif 000007
【図６】
2015132469.tif 000008
【図７】
2015132469.tif 000009